(57)【要約】【課題】  動作障害の検出、及び障害復旧が可能な複数の内部ユニットを有するディジタル電子装置に於いて、装置の周辺または内部で発生するノイズ等の影響により、稼動中の装置の一部のＬＳＩが動作障害を発生し、回線障害を発生した場合に障害復旧を迅速、且つ確実に行うこと。【解決手段】  複数の内部ユニット毎に電源供給をオフ・オン可能な電源ＯＦＦ／ＯＮ部４を備え、障害検出手段２２ｂが障害を検出すると、障害復旧手段２２ｃは、電源ＯＦＦ／ＯＮ部４を制御し、上記内部ユニット毎に電源供給をオフ・オンし、上記障害復旧を実行する。【選択図】図２
2008288716.tif 000002
【特許請求の範囲】
【請求項１】
動作障害の検出、及び障害復旧が可能な複数の内部ユニットを有するディジタル電子装置であって、
前記複数の内部ユニット毎に電源供給をオフ・オン可能な電源ＯＦＦ／ＯＮ部と、
前記動作障害が検出されると前記電源ＯＦＦ／ＯＮ部を制御し、前記内部ユニット毎に電源供給をオフ・オンし、前記障害復旧を実行する障害復旧手段とを備えることを特徴とするディジタル電子装置。
【請求項２】
前記動作障害の検出に関わらず、所定の前記内部ユニットへの電源供給を停止させる稼動停止ユニット設定手段を更に備えることを特徴とする請求項１に記載のディジタル電子装置。
【請求項３】
前記ディジタル電子装置は、ディジタル電話システムの構内交換機であることを特徴とする請求項１、または請求項２に記載のディジタル電子装置。
【請求項４】
前記内部ユニットは、
前記構内交換機を構成する複数の内部ユニットの内、少なくとも１つが、前記動作障害の検出、及び障害復旧が可能な内部ユニットであることを特徴とする請求項３に記載のディジタル電子装置。
【発明の詳細な説明】
【技術分野】
【０００１】
本発明は、動作障害の検出、及び障害復旧が可能な複数の内部ユニットを有するディジタル電子装置に関する。
【背景技術】
【０００２】
近年、装置内部に、ソフトウェアにより起動・制御されるＬＳＩ（大規模集積回路）を複数個備えるディジタル電子装置が普及している。このようなディジタル電子装置では、装置周辺または装置内部で発生するノイズ等の影響により、装置の稼動中に一部のＬＳＩが動作障害を発生しやすい。かかる動作障害が発生した場合には、ＬＳＩを再度初期化することにより、障害の復旧が期待される。
【０００３】
一例を挙げると、装置内部に複数の独立した機能を有するユニットを収容しているディジタルボタン電話システムの構内交換機では、システム内部で発生した通信障害に起因する網同期はずれ等の回線障害の迅速なる検出、及びその復旧が求められる。かかる要求を満たすための種々の技術が開示されている（例えば特許文献１及び特許文献２参照）。
【０００４】
特許文献１では、装置内部に状態監視手段を備え、所定の処理部の内部レジスタ情報やドライバ部のレジスタ情報等を取得して装置状態を監視し、回線障害に基づく機能停止を直ちに検出する。続いて、回線障害の復旧を目的として、装置内部の制御部からリセット信号または、ソフト的なリセット命令が投入される。これは、ＣＰＵ（中央演算処理装置）など、リセット信号入力を持つデバイスや、搭載されているソフトウェアに対し、リセット初期化立ち上げ（内部処理や内部レジスタの初期化）による障害復旧を期待したものである。
【０００５】
特許文献２では、装置内部に装置状態を監視する監視手段と、電源供給をＯＦＦ／ＯＮする電源断続手段とを備えている。監視手段は、監視対象のネットワーク対応機器が正常に動作しているか否かを無人で監視している。ＩＣＰＭエコー要求パケットをネットワーク対応機器に送信し、該パケットに対するＩＣＰＭエコー応答パケットを受信しないと、回線障害が発生したものと判断する。かかる場合に、電源断続手段が装置全体の電源をオフ・オンし、装置全体を再起動させることにより障害の復旧を期待している。
【特許文献１】特開２００１−２２３７９７号公報
【特許文献２】特開２００７−１３６５６号公報
【発明の開示】
【発明が解決しようとする課題】
【０００６】
しかしながら、上記特許文献１のように、リセット信号入力が無く、且つ、ソフト的に切り離されている、ＩＣ、ＬＳＩなどのデバイスが含まれている場合等には、リセット信号または、ソフト的なリセット命令の投入だけでは障害復旧に至らない場合が多い。又、上記特許文献２では、装置全体を再起動させることになるので、復旧にかかる工数が大きくなることや、障害復旧作業が装置運用へ及ぼす悪影響等、解決すべき課題が残されていた。
【課題を解決するための手段】
【０００７】
本発明は、動作障害の検出、及び障害復旧が可能な複数の内部ユニットを有するディジタル電子装置であって、上記複数の内部ユニット毎に電源供給をオフ・オン可能な電源ＯＦＦ／ＯＮ部と、上記動作障害が検出されると上記電源ＯＦＦ／ＯＮ部を制御し、上記内部ユニット毎に電源供給をオフ・オンし、上記障害復旧を実行する障害検出手段とを備えることを主要な特徴とする。
【発明の効果】
【０００８】
装置内部に主電源以外に、複数の内部ユニットのそれぞれ毎に電源供給をオフ・オン可能な電源ＯＦＦ／ＯＮ部と、動作障害が検出されると上記電源ＯＦＦ／ＯＮ部を制御し、上記内部ユニット毎に電源供給をオフ・オンして上記障害復旧を実行する障害復旧手段とを備えるので、リセット信号入力が無く、且つ、ソフト的に切り離されている、ＩＣ、ＬＳＩなどのデバイスが含まれている場合等であっても、リセット信号または、ソフト的なリセット命令の投入のみによらず、電源供給のＯＦＦ／ＯＮによってユニット毎に再起動させることにより障害の復旧を確実にすることが出来るという効果を得る。
【０００９】
更に、上記電源ＯＦＦ／ＯＮ部は、装置全体の電源をＯＦＦ／ＯＮするのではないので障害復旧作業による装置運用への悪影響や復旧にかかる時間が長時間に亘ること等が回避されるという効果を得る。
【発明を実施するための最良の形態】
【００１０】
以下、本発明の一実施形態を図を用いて詳細に説明する。
【実施例１】
【００１１】
本実施例では、ディジタル電子装置の一例としてディジタルボタン電話システムのＰＢＸ（構内交換機）に本発明を適用し、装置全体に電源供給する主電源以外に、複数のユニットのそれぞれ毎に電源供給のＯＦＦ／ＯＮが可能な構成にする。こうすることによって、リセット信号入力が無く、且つ、ソフト的に切り離されている、ＩＣ、ＬＳＩなどのデバイスが含まれている場合等であっても、リセット信号または、ソフト的なリセット命令の投入のみによらず、電源供給のＯＦＦ／ＯＮによってユニット毎に再起動させることにより、障害の復旧を確実にすることが可能になる。
【００１２】
又、電源供給のＯＦＦ／ＯＮは上記特許文献２のように装置全体の電源ＯＦＦ／ＯＮではなく、複数のユニットのそれぞれ毎に個別に実行されるので、障害復旧作業による装置運用への悪影響や復旧にかかる時間が長時間に亘ることが回避される。かかる目的を達成するために本実施例によるＰＢＸは、以下のように構成される。
【００１３】
図１は、ディジタルボタン電話システムの構成図である。
図に示すように、ボタン電話機２０は、加入者線１５を介してＰＢＸ２７に複数台接続され、ＰＢＸ２７は、局線１７を介してネットワーク１８に接続されている。ここでボタン電話機２０は複数台であり、ネットワーク１８は、サービス総合ディジタル網（ＩＳＤＮ）である。尚、ここでは、ボタン電話機２０のみがＰＢＸ２７に複数台接続されているが、実例では、図示していないファクシミリ装置、データ端末装置等も接続されている。
【００１４】
ＰＢＸ２７は、内線端末装置相互間の内線通話接続、及び内線端末装置とネットワーク１８とを発着接続する構内交換機であり、その内部に複数個の電話機インタフェースユニット２１と、通話路スイッチ１６と、複数個の回線インタフェースユニット２５と、制御部２２と、ＲＯＭ２３と、ＲＡＭ２４と、主電源２６とを含んでいる。
【００１５】
電話機インタフェースユニット２１は、制御部２２の制御に基づいて、ボタン電話機２０の発着信接続における信号授受、及び通話路スイッチ１６との中継を行う回路ユニットである。この電話機インタフェースユニット２１は、加入者線１５を介してボタン電話機２０から受け入れたディジタル通話信号を時分割ディジタル通話信号に分割する部分である。又、通話路スイッチ１６から時分割ディジタル通話信号を受け入れてディジタル通話信号を構成し、加入者線１５を介してボタン電話機２０へ送出する部分でもある。
【００１６】
通話路スイッチ１６は、ボタン電話機２０と、局線１７との間に介在し、ＲＯＭ２３、及びＲＡＭ２４を用いて行う制御部２２の制御に基づいて、時分割ディジタル通話信号の方路切替を行って転送する切替スイッチである。
【００１７】
回線インタフェースユニット２５は、ＲＯＭ２３、及びＲＡＭ２４を用いて行う制御部２２の制御に基づいて、外線発着信接続におけるネットワーク１８との信号授受、及び通話路スイッチ１６と局線１７との中継を行う回路ユニットである。即ち、通話路スイッチ１６から時分割ディジタル通話信号を受け入れると、ネットワーク１８に適合する所定のプロトコルに基づいてフレーム信号を構成して局線１７を介してネットワーク１８へ送出し、局線１７を介してネットワーク１８からフレーム信号を受け入れると時分割ディジタル通話信号に分割して通話路スイッチ１６へ送出する回路ユニットである。更に、制御部２２の制御に基づいて、ＰＢＸ２７とネットワーク１８と網同期を維持するとともに、システム内部で発生した通信障害等に起因して発生する網同期はずれ等の回線障害の迅速なる検出、及びその復旧が求められる部分でもある。
【００１８】
制御部２２は、ＲＯＭ２３、及びＲＡＭ２４とを用いてＰＢＸ２７の交換処理を実行するＣＰＵ（中央演算処理装置）である。即ち、時分割ディジタル通話信号の方路切替を制御する部分である。又、ＲＯＭ２３に予め格納されている所定の制御プログラムを実行することによって、電話機インタフェースユニット２１、通話路スイッチ１６、及び回線インタフェースユニット２５とを制御して障害復旧作業を実行する部分である。この障害復旧作業の実行については、後に再度詳細に説明する。
【００１９】
ＲＯＭ２３は、制御部２２が実行することによって交換処理全体を制御する制御プログラムを予め格納するリードオンリーメモリである。ＲＡＭ２４は、交換処理のデータが書き換え可能に登録されるランダムアクセスメモリである。主電源２６は、ＰＢＸ２７の各部分に駆動電力を供給する直流電源である。
【００２０】
次に上記課題を解決すべく、通信障害等に起因して網同期はずれ等の回線障害が発生したときに、回線障害の迅速なる検出、及びその復旧を試みる制御系統の中で上記各構成部分がそれぞれ発揮する機能について詳細に説明する。
【００２１】
図２は、実施例１の回線インタフェースユニットの機能ブロック図である。
図３は、実施例１の電話機インタフェースユニットの機能ブロック図である。
図２に示すように、回線インタフェースユニット２５は、データ入出力部１と、信号処理部２と、ネットワークインタフェース部３と、電源ＯＦＦ／ＯＮ部４とを備え、上記のように、制御部２２の制御に基づいて、ＰＢＸ２７とネットワーク１８と網同期を維持するとともに、システム内部で発生した通信障害等に起因して発生する網同期はずれ等の回線障害の迅速なる検出、及びその復旧が求められる部分でもある。
【００２２】
データ入出力部１は、制御部２２の制御に基づいて、通話路スイッチ１６から時分割ディジタル通話信号を受け入れると、受け入れ順に信号処理部２へ送出する部分として機能する。又、信号処理部２から時分割ディジタル通話信号を受け入れると、受け入れ順に通話路スイッチ１６へ送出する部分として機能する。
【００２３】
信号処理部２は、制御部２２の制御に基づいて、データ入出力部１から時分割ディジタル通話信号を受け入れると、ネットワーク１８に適合する所定のプロトコルに基づいてフレーム信号を構成し、ネットワークインタフェース部３へ送出する部分として機能する。又、ネットワークインタフェース部３からフレーム信号を受け入れると、時分割ディジタル通話信号に分割してデータ入出力部１へ送出する部分として機能する。
【００２４】
ネットワークインタフェース部３は、制御部２２の制御に基づいて、信号処理部２からフレーム信号を受け入れると局線１７を介してネットワーク１８へ送出する部分として機能する。又、局線１７を介してネットワーク１８からフレーム信号を受け入れると信号処理部２へ送出する部分として機能する。更に、ネットワークから所定の制御信号を受け入れて回線インタフェースユニット２５とネットワーク１８との網同期を維持する部分として機能する。更に、ＰＢＸ２７（図１）をネットワーク１８に網同期される部分として機能する。
【００２５】
電源ＯＦＦ／ＯＮ部４は、主電源２６と、回線インタフェースユニット２５が内部に備える各部分との間に配設され、回線インタフェースユニット２５への電源供給をＯＦＦ／ＯＮし、通信障害等に起因して網同期はずれ等の回線障害が発生したときに、迅速なる復旧を試みる部分として機能する。
【００２６】
図３に示すように、電話機インタフェースユニット２１は、データ入出力部５と、信号処理部６と、電話機インタフェース部７と、電源ＯＦＦ／ＯＮ部８とを備え、上記のように、制御部２２の制御に基づいて、ボタン電話機２０の発着信接続における信号授受、及び通話路スイッチ１６との中継を行う回路ユニットである。とともに、システム内部で発生した通信障害等に起因して発生する網同期はずれ等の回線障害の迅速なる検出、及びその復旧が求められる部分として機能する。
【００２７】
データ入出力部５は、制御部２２の制御に基づいて、通話路スイッチ１６から時分割ディジタル通話信号を受け入れると、受け入れ順に信号処理部６へ送出する部分として機能する。又、信号処理部６から時分割ディジタル通話信号を受け入れると、受け入れ順に通話路スイッチ１６へ送出する部分として機能する。
【００２８】
信号処理部６は、制御部２２の制御に基づいて、データ入出力部５から時分割ディジタル通話信号を受け入れると、ボタン電話機２０に適合する所定のプロトコルに基づいてディジタル通話信号を構成し、電話機インタフェース部７へ送出する部分として機能する。又、電話機インタフェース部７からディジタル通話信号を受け入れると、時分割ディジタル通話信号に分割してデータ入出力部５へ送出する部分として機能する。
【００２９】
電話機インタフェース部７は、制御部２２の制御に基づいて、信号処理部６からディジタル通話信号を受け入れると加入者線１５を介してボタン電話機２０へ送出する部分として機能する。又、加入者線１５を介してボタン電話機２０からディジタル通話信号を受け入れると信号処理部６へ送出する部分として機能する。
【００３０】
電源ＯＦＦ／ＯＮ部８は、主電源２６と、電話機インタフェースユニット２１が内部に備える各部分との間に配設され、電話機インタフェースユニット２１への電源供給をＯＦＦ／ＯＮし、通信障害等に起因して網同期はずれ等の回線障害が発生したときに、迅速なる復旧を試みる部分として機能する。
【００３１】
図２、及び図３に示すように、通話路スイッチ１６は、電源ＯＦＦ／ＯＮ部９と、スイッチ回路部１０とを備え、上記のように制御部２２の制御に基づいて、内線端末装置相互間の内線通話接続、及び内線端末装置とネットワーク１８とを発着接続する切替スイッチである。
【００３２】
スイッチ回路部１０は、制御部２２の制御に基づいて時分割ディジタル通話信号の方路を決定する部分として機能する。電源ＯＦＦ／ＯＮ部９は、主電源２６と、通話路スイッチ１６が内部に備えるスイッチ回路部１０との間に配設され、通話路スイッチ１６への電源供給をＯＦＦ／ＯＮし、通信障害等に起因して網同期はずれ等の回線障害が発生したときに、迅速なる復旧を試みる部分として機能する。
【００３３】
図２、及び図３に示すように、制御部２２は、状態監視手段２２ａと、障害検出手段２２ｂと、障害復旧手段２２ｃと、障害通知手段２２ｄとを備え、上記のように時分割ディジタル通話信号の方路切替を制御する部分として機能する。又、電話機インタフェースユニット２１、通話路スイッチ１６、及び回線インタフェースユニット２５とを制御して障害復旧作業を実行する部分として機能する。
【００３４】
状態監視手段２２ａは、データ入出力部１、データ入出力部５、信号処理部２、信号処理部６、ネットワークインタフェース部３、電話機インタフェース部７、及びスイッチ回路部１０の状態、特に各部分が有するレジスタの状態を監視する手段である。この状態監視手段２２ａは、一例として所定の時間間隔で状態監視コマンドを上記、データ入出力部１、データ入出力部５、信号処理部２、信号処理部６、ネットワークインタフェース部３、電話機インタフェース部７、及びスイッチ回路部１０へ送出し、その返信データをＲＡＭ２４上の所定の領域に記憶するなどの方法によって実行される。
【００３５】
尚、上記レジスタには、例えば上記、データ入出力部１、データ入出力部５、信号処理部２、信号処理部６、ネットワークインタフェース部３、電話機インタフェース部７、及びスイッチ回路部１０の活性状態を示すレジスタ、フレーム状態を示すレジスタ、クロック状態を示すレジスタなどがあり、これらのレジスタ情報を監視することになる。この監視結果は障害検出手段２２ｂに送られる。
【００３６】
障害検出手段２２ｂは、状態監視手段２２ａの監視結果に基づいてシステム内の通信障害等に起因して発生する網同期はずれ等の回線障害を検出する手段である。この障害検出手段２２ｂは一例として所定の時間間隔でＲＡＭ２４上の所定の領域に記憶する返信データを監視し、その変化量が予め定められている閾値を超えた場合には回線障害発生と判断するなどの方法によって実行される。
【００３７】
障害復旧手段２２ｃは、障害検出手段２２ｂが回線障害発生と判断すると、電源ＯＦＦ／ＯＮ部４、電源ＯＦＦ／ＯＮ部８、電源ＯＦＦ／ＯＮ部９を作動させ、データ入出力部１、データ入出力部５、信号処理部２、信号処理部６、ネットワークインタフェース部３、電話機インタフェース部７、及びスイッチ回路部１０への電源供給を個々にＯＦＦさせ、その後、一定時間経過後に、電源ＯＦＦ／ＯＮ部４、電源ＯＦＦ／ＯＮ部８、電源ＯＦＦ／ＯＮ部９を作動させ、データ入出力部１、データ入出力部５、信号処理部２、信号処理部６、ネットワークインタフェース部３、電話機インタフェース部７、及びスイッチ回路部１０への電源供給を個々にＯＮさせ、障害復旧作業を実行する手段である。
【００３８】
ここで上記一定時間は、各部分が有する、上記レジスタの初期化などに要する時間に基づいて予め定められている。尚、状況次第により、電源ＯＦＦ／ＯＮ部４による、各部分への電源供給のＯＦＦ／ＯＮを複数回繰り返しても良い。
【００３９】
障害通知手段２２ｄは、障害検出手段２２ｂが回線障害発生と判断すると、ＰＢＸ２７（図１）の図示しない表示盤に回線障害発生の警告を表示し、障害復旧手段２２ｃが、障害復旧作業を実行することによって、障害検出手段２２ｂが回線障害排除と判断するとＰＢＸ２７（図１）の図示しない表示盤に回線障害発生の警告を消滅させる手段である。但し、障害通知手段２２ｄによる警告の発生・消滅は、表示盤への表示に限定されるものではない。即ち、警告音の発生などを用いても良い。
【００４０】
尚、上記状態監視手段２２ａと、障害検出手段２２ｂと、障害復旧手段２２ｃと、障害通知手段２２ｄとは、制御部２２を構成するＣＰＵが、ＲＯＭ２３に予め格納されている所定の制御プログラムを実行することによって、起動・生成されるコンピュータ制御機能を、説明の便宜上からコンピュータ制御手段としてブロック化し、図示したものである。
【００４１】
本実施例では以上説明した制御系統を稼動させて、システム内の通信障害等に起因して発生する網同期はずれ等の回線障害を迅速に検出し、自動的に回線復旧させる。即ち、ディジタル電子装置（一例として上記ディジタルボタン電話システムのＰＢＸ２７）のオプションユニット毎に電源ＯＦＦ／ＯＮ部を備え、オプションユニットへの電源供給を個々にＯＦＦ／ＯＮすることにより、オプションユニット毎に該オプションユニット全体をハード的、及びソフト的に初期化して立ち上げることを特徴とする。ここで、電源供給をＯＦＦすることには、供給電力を完全に０にするのみでなく、供給電力を所定のレベル以下にすることを含む。又、当然のことながら回線障害が発生していないユニットに関しては回線復旧を必要としない。
【００４２】
又、オプションユニットへの電源供給のＯＦＦ／ＯＮは、１回のみに限定されるものではなく、回線復旧するまで複数回実行することとしても良い。又、上記説明では、障害の発生をシステム内の通信障害等に起因して発生するものとして説明したが、本発明は、この例に限定されるものでは無い。即ち、ＰＢＸ２７の周辺または内部で発生するノイズ等の影響により、ＰＢＸ２７の稼動中に一部のＬＳＩが動作障害を発生し、回線障害を発生した場合であっても、上記と全く同様な機能によって障害の復旧が期待される。
【００４３】
以上説明したように、本発明によれば、装置内部に主電源以外に、複数のユニットのそれぞれ毎に電源供給のＯＦＦ／ＯＮが可能な電源ＯＦＦ／ＯＮ部を備えることにより、リセット信号入力が無く、且つ、ソフト的に切り離されているＩＣや、ＬＳＩなどのデバイスが含まれている場合等であっても、リセット信号または、ソフト的なリセット命令の投入のみによらず、電源供給のＯＦＦ／ＯＮによってユニット毎に再起動させることにより障害の復旧を確実にすることが可能になるという効果を得る。更に、本発明による電源供給のＯＦＦ／ＯＮは装置全体の電源ＯＦＦ／ＯＮではないので障害復旧作業による装置運用への悪影響や復旧にかかる時間が長時間に亘ること等が回避されるという効果をえる。
【実施例２】
【００４４】
本実施例では、実施例１で構成したディジタルボタン電話のＰＢＸ（構内交換機）に、更に、網同期はずれ等の回線障害が発生していない場合であっても、所定のユニット（ここでは一例として上記回線インタフェースユニット２５、及び電話機インタフェースユニット２１の一部）の電源供給をＯＦＦすることを可能にする。
【００４５】
例えば、深夜など装置運用に支障のない時間帯に稼働率の低い所定のユニットへの電源供給をＯＦＦさせることで装置全体としての省電力化を図ることを目的とする。かかる目的を達成するために本実施例によるＰＢＸは以下のように構成される。
【００４６】
図４は、実施例２の回線インタフェースユニットの機能ブロック図である。
図５は、実施例２の電話機インタフェースユニットの機能ブロック図である。
以下に、実施例１と相違する部分のみについて説明する。実施例１と同様の部分については、実施例１と同一の符号を付して説明を省略する。尚、ディジタルボタン電話システムのシステム構成図は、実施例１で説明した図１と同様なので説明を省略する。
【００４７】
制御部３０は、状態監視手段２２ａと、障害検出手段２２ｂと、障害復旧手段２２ｃと、障害通知手段２２ｄと、稼動停止ユニット設定手段３０ａとを備え、上記のように回線インタフェースユニット２５を制御し、システム内の通信障害等に起因して発生する網同期はずれ等の回線障害を検出し、障害復旧作業を実行し、更に、装置全体としての省電力化を図る部分として機能する。
【００４８】
稼動停止ユニット設定手段３０ａは、網同期はずれ等の回線障害が発生していなくとも、深夜など装置運用に支障のない時間帯に稼働率の低い所定のユニットへの電源供給をＯＦＦさせることで装置全体としての省電力化を図ることを目的とし、予備的なユニット（ここでは一例として上記回線インタフェースユニット２５、及び電話機インタフェースユニット２１の一部）の電源供給を停止させる手段である。その他の部分は全て実施例１と同様なので説明を省略する。
【００４９】
尚、深夜など装置運用に支障のない時間帯に、装置全体としての省電力化を図ることを目的とし電源供給をＯＦＦさせる稼働率の低い所定のユニットの特定は、ＲＯＭ２３に予め制御データとして格納しておいても良いし、あるいは又、ＰＢＸ２７の図示しない操作盤を介して臨機応変に入力しても良い。
【００５０】
本実施例では以上説明した制御系統を稼動させて、システム内の通信障害等に起因して発生する網同期はずれ等の回線障害を迅速に検出し、自動的に回線復旧させる。更に、網同期はずれ等の回線障害が発生していなくとも、予備的なユニットへの電源供給を停止させることによって装置全体としての省力化を図ることを特徴とする。
【００５１】
以上説明したように、本発明によれば、網同期はずれ等の回線障害が発生していなくとも、予備的なユニットの電源供給を、例えば、深夜など装置運用に支障のない時間帯に停止することが可能になるので、実施例１の効果に加えて、装置全体としての省電力化を図ることが出来るという効果を得る。
【産業上の利用可能性】
【００５２】
以上説明した実施例１及び実施例２では、本発明をディジタルボタン電話システムのＰＢＸに適用した場合に限定して説明したが、本発明は、この例に限定されるものではない。即ち、装置内部に複数の独立した機能を有するユニットを収容し、このユニット内部にはソフトウェアで制御される構成部品（例えばＩＣ、またはＬＳＩ）が含まれているディジタル電子装置であれば如何なる装置であっても本発明を適用可能である。
【図面の簡単な説明】
【００５３】
【図１】ディジタルボタン電話システムの構成図である。
【図２】実施例１の回線インタフェースユニットの機能ブロック図である。
【図３】実施例１の電話機インタフェースユニットの機能ブロック図である。
【図４】実施例２の回線インタフェースユニットの機能ブロック図である。
【図５】実施例２の電話機インタフェースユニットの機能ブロック図である。
【符号の説明】
【００５４】
１  データ入出力部
２  信号処理部
３  ネットワークインタフェース部
４  電源ＯＦＦ／ＯＮ部
１６  通話路スイッチ
１７  局線
１８  ネットワーク
２２  制御部
２２ａ  状態監視手段
２２ｂ  障害検出手段
２２ｃ  障害復旧手段
２２ｄ  障害通知手段
２３  ＲＯＭ
２４  ＲＡＭ
２６  主電源
【図１】
2008288716.tif 000003
【図２】
2008288716.tif 000004
【図３】
2008288716.tif 000005
【図４】
2008288716.tif 000006
【図５】
2008288716.tif 000007